(57)【要約】【課題】従来のニードルアイタイプとボウタイタイプの弱点を補強し、接触荷重と保持力の安定化を図れるようにした圧入端子を提供すること。【解決手段】ボウタイ部１０Ａは、ウェブ１８、２２、３８を横スリット１６、３６で分断することにより、横スリットを境界として、差し込み方向Ｙの前部側の第１領域１１と、中間部の第２領域１２と、後部側の第３領域１３とに区分されている。第１領域は、ボウタイ部の一方の端部から第２領域に向けて梁部２１間の間隔が徐々に広がる断面形状の変化を有し、第２領域は、梁部間の間隔が最大に広がった断面形状を有し、第３領域は、第２領域側からボウタイ部の他方の端部に向けて梁部間の間隔が徐々に狭まる断面形状の変化を有している。第２領域のウェブ２２は、梁部間において連続しており、第１、第３領域のウェブ１８、３８は、梁部間の中間点に設けた縦スリット１７、３７により左右に分断され、その分断端が厚み方向にずれて配置されている。【選択図】図１
2008123739.tif 000002
【特許請求の範囲】
【請求項１】
プリント基板のスルーホールに対し余裕を持って挿通可能な通常断面部と、断面内の互いに直交する第１の方向の潰れと第２の方向の延伸による断面形状の変形により、前記第２の方向の対向外面間寸法が前記通常断面部の同じ方向の対向外面間寸法よりも増大させられており、それにより、前記スルーホールに差し込まれた際に、前記第２の方向の対向外面が前記スルーホールの内周壁に対し圧接状態で接触導通する接触導通部と、を有し、前記接触導通部が前記スルーホールに対する差し込み方向の所定区間に設けられた圧入端子であって、
前記接触導通部が、
前記通常断面部の断面中心線に対して左右対称に配置されると共に前記第２の方向に離れた状態で互いに並んで前記差し込み方向に延び且つ両端が１本になって前記通常断面部に合流する一対の梁部と、前記第１の方向の潰れにより前記断面中心線に近づくほど肉厚が薄くなる肉厚変化を持たされた状態で前記一対の梁部間をつなぐ壁状のウェブと、を有する断面蝶ネクタイ形のボウタイ部として形成され、
前記ボウタイ部は、前記ウェブを横スリットで分断することにより、該横スリットを境界として、前記差し込み方向に複数の領域に区分されており、
そのうちの１つの領域では、前記ウェブが前記梁部間で連続しており、そして
他の１つの領域では、前記ウェブが前記梁部間の中間点に設けた縦スリットにより左右に分断され、その分断端が前記第１の方向にずれて配置されていること、
を特徴とする圧入端子。
【請求項２】
前記ボウタイ部は、前記ウェブを前記横スリットで分断することにより、前記横スリットを境界として、前記差し込み方向の前部側の第１領域と、中間部の第２領域と、後部側の第３領域とに区分され、
前記第１領域は、前記ボウタイ部の一方の端部から前記第２領域に向けて前記梁部間の間隔が徐々に広がる断面形状の変化を有し、
前記第２領域は、前記梁部間の間隔が最大に広がった断面形状を有し、
前記第３領域は、前記第２領域側から前記ボウタイ部の他方の端部に向けて前記梁部間の間隔が徐々に狭まる断面形状の変化を有し、
前記第２領域のウェブは、前記梁部間において連続しており、
前記第１、第３領域のウェブは、前記梁部間の中間点に設けた前記縦スリットにより左右に分断され、その分断端が前記第１の方向にずれて配置されていること、
を特徴とする請求項１に記載した圧入端子。
【発明の詳細な説明】
【技術分野】
【０００１】
本発明は、プリント回路基板（以下、『プリント基板』と記述する。）の導電性回路パターン（即ち、回路導体）の一部を形成するスルーホールランド（以下、『スルーホール』と記述する。）に圧入されることで、該プリント基板の導電性回路パターンと導通接続されると共に当該プリント基板に保持固定される圧入端子（即ち、所謂プレスフィット端子）に関するものである。
【背景技術】
【０００２】
この種の圧入端子は、プリント基板のスルーホールに差し込んだ際に、バネ力により接触荷重を発生する接触導通部を有している。接触導通部の形状タイプとして、最も一般的なものに、特許文献１に記載されているようなニードルアイタイプと、特許文献２に記載されているようなボウタイタイプとがある。図３（ａ）〜（ｃ）にはニードルアイタイプの接触導通部を有する圧入端子の一例を、そして図４（ａ）、（ｂ）にはボウタイタイプの接触導通部を有する圧入端子の一例が示されている。
【０００３】
図３（ａ）、（ｂ）に示すように、ニードルアイタイプの接触導通部１１０を有する圧入端子１００は、差し込み方向に並んで延びる左右均等な一対の梁部１２１と、それら一対の梁部１２１の間に確保された差し込み方向に長い長孔１２２とを備えるものであって、図３（ｃ）に示されるように、プリント基板１５０のスルーホール１５１に差し込んだ際の梁部１２１の撓み剛性（バネ性）により、スルーホール１５１の内周壁に対する接触荷重を確保してスルーホール１５１に保持されるように構成されている。
【０００４】
このタイプの圧入端子１００は、梁部１２１に柔軟なバネ性を確保することができるので、スルーホール１５１との接触荷重が安定した領域を多く確保することができると共にスルーホール１５１への挿入力を低くすることができる。しかし、接触荷重が低くなりがちで、そのため保持力が低いという欠点がある。
【０００５】
また、図４（ａ）、（ｂ）に示すように、ボウタイタイプの接触導通部２１０を有する圧入端子２００は、差し込み方向に並んで延びる左右均等な一対の梁部２２１と、それら一対の梁部２２１の間をつなぐ壁状のウェブ２２２とを備えるものであって、プリント基板のスルーホール｛例えば図３（ｃ）参照｝に圧入した際に、ある一定の荷重が加わった段階でウェブ２２２の割れによる梁部２２１の撓み剛性とウェブ２２２の変形抵抗や摺動抵抗などにより、スルーホールの内周壁に対する接触荷重を確保してスルーホールに保持されるように構成されている。
【０００６】
このタイプの圧入端子２００は、スルーホールへの挿入力と保持力が高いが、スルーホールとの接触荷重が安定した領域が狭くなる傾向がある。また、ウェブ２２２がどこまで割れるかを制御しにくく、割れの長さにもばらつきが出やすいため、接触荷重もばらつきやすいという欠点がある。
【０００７】
【特許文献１】特開昭６０−４４９８３号公報
【特許文献２】特公昭５９−１９４１６号公報
【発明の開示】
【発明が解決しようとする課題】
【０００８】
本発明は、上述した事情に鑑みてなされたものであり、その目的は、従来のニードルアイタイプとボウタイタイプの弱点を補強し、接触荷重と保持力の安定化を図れるようにした圧入端子を提供することにある。
【課題を解決するための手段】
【０００９】
前述した目的を達成するため、本発明に係る圧入端子は、下記（１）および（２）を特徴としている。
（１）  プリント基板のスルーホールに対し余裕を持って挿通可能な通常断面部と、断面内の互いに直交する第１の方向の潰れと第２の方向の延伸による断面形状の変形により、前記第２の方向の対向外面間寸法が前記通常断面部の同じ方向の対向外面間寸法よりも増大させられており、それにより、前記スルーホールに差し込まれた際に、前記第２の方向の対向外面が前記スルーホールの内周壁に対し圧接状態で接触導通する接触導通部と、を有し、前記接触導通部が前記スルーホールに対する差し込み方向の所定区間に設けられた圧入端子であって、
前記接触導通部が、
前記通常断面部の断面中心線に対して左右対称に配置されると共に前記第２の方向に離れた状態で互いに並んで前記差し込み方向に延び且つ両端が１本になって前記通常断面部に合流する一対の梁部と、前記第１の方向の潰れにより前記断面中心線に近づくほど肉厚が薄くなる肉厚変化を持たされた状態で前記一対の梁部間をつなぐ壁状のウェブと、を有する断面蝶ネクタイ形のボウタイ部として形成され、
前記ボウタイ部は、前記ウェブを横スリットで分断することにより、該横スリットを境界として、前記差し込み方向に複数の領域に区分されており、
そのうちの１つの領域では、前記ウェブが前記梁部間で連続しており、そして
他の１つの領域では、前記ウェブが前記梁部間の中間点に設けた縦スリットにより左右に分断され、その分断端が前記第１の方向にずれて配置されていること。
（２）  上記（１）の構成の圧入端子において、
前記ボウタイ部は、前記ウェブを前記横スリットで分断することにより、前記横スリットを境界として、前記差し込み方向の前部側の第１領域と、中間部の第２領域と、後部側の第３領域とに区分され、
前記第１領域は、前記ボウタイ部の一方の端部から前記第２領域に向けて前記梁部間の間隔が徐々に広がる断面形状の変化を有し、
前記第２領域は、前記梁部間の間隔が最大に広がった断面形状を有し、
前記第３領域は、前記第２領域側から前記ボウタイ部の他方の端部に向けて前記梁部間の間隔が徐々に狭まる断面形状の変化を有し、
前記第２領域のウェブは、前記梁部間において連続しており、
前記第１、第３領域のウェブは、前記梁部間の中間点に設けた前記縦スリットにより左右に分断され、その分断端が前記第１の方向にずれて配置されていること。
【００１０】
上記（１）の構成の圧入端子によれば、ボウタイ部を、横スリットを境界にして、差し込み方向に複数の領域に区分し、そのうちの１つの領域では、ウェブを梁部間で連続させ、他の１つの領域では、ウェブを縦スリットで左右に分断して、その分断端を相互と位置をずらして配置しているので、連続したウェブの割れによる変形抵抗の他に、最初から左右に分断されたウェブ同士の摺動抵抗や変形抵抗などにより、従来のニードルアイタイプとボウタイタイプの中間的な特性を発揮することができる。また、連続したウェブを有する領域の長さや肉厚、縦スリットの長さなどの設定如何によって、挿入力の調整、接触荷重の調整、あるいは偏り変形の調整を行なうことができるので、接触荷重のバラツキを少なくして、接触荷重と保持力の安定化を図ることができる。
また、上記（２）の構成の圧入端子によれば、ボウタイ部の差し込み方向の両端に位置する第１領域と第３領域の梁部が、左右のウェブ同士を摺動させながら、あるいは、変形させながら撓むことになるので、端子の挿入力を低減することができる。また、縦スリットの長さを調整することで、梁部の強さを調整できるので、偏り変形に対する調整が簡単にできる。また、中間の第２領域の連続ウェブは、一定の応力が加わったときに割れるので、特に薄肉部の肉厚と第２領域自体の長さの調整により、挿入力の上げ下げ調整が簡単にできる。また、割れ長さを一定に管理できるので、変形抵抗のバラツキも少なくすることができる。
【発明の効果】
【００１１】
本発明によれば、従来のニードルアイタイプの接触導通部を有する圧入端子と従来のボウタイタイプの接触導通部を有する圧入端子の弱点を補強することができ、接触荷重と保持力の安定化が図られた圧入端子を提供できる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施形態を図面に基づいて詳細に説明する。
【００１４】
図１は、本発明に係る圧入端子の一実施形態の要部側面図と、当該要部側面図において複数の矢Ａ−Ａ〜Ｅ−Ｅによって指し示される複数の断面図（Ａ）〜（Ｅ）と、プリント基板のスルーホールに圧入端子を挿入した際の断面図（Ｃ）の変化を示す断面図（Ｆ）と、プリント基板のスルーホールに圧入端子を挿入した際の断面図（Ｅ）の変化を示す断面図（Ｇ）と、を含む図であって、（Ａ）はＡ−Ａ矢視断面図、（Ｂ）はＢ−Ｂ矢視断面図、（Ｃ）はＣ−Ｃ矢視断面図、（Ｄ）はＤ−Ｄ矢視断面図、（Ｅ）はＥ−Ｅ矢視断面図、（Ｆ）はスルーホールに挿入後のＣ−Ｃ矢視断面図、そして（Ｇ）はスルーホールに挿入後のＥ−Ｅ矢視断面図である。尚、図１の（Ｇ）を、プリント基板のスルーホールに圧入端子を挿入した際の図１の（Ａ）の変化を示す断面図として視ることもできる。
【００１５】
この圧入端子１は、プリント基板のスルーホール｛例えば図３（ｃ）参照｝に対し余裕を持って挿通可能な通常断面部１Ａと、断面内の互いに直交する第１の方向Ｘ１の潰れと第２の方向Ｘ２の延伸による断面形状の変形により、第２の方向Ｘ２の対向外面間寸法Ｄ２が通常断面部１Ａの同じ方向Ｘ２の対向外面間寸法Ｄ１よりも増大させられており、それにより、スルーホールに差し込まれた際に、第２の方向Ｘ２の対向外面がスルーホールの内周壁に対し圧接状態で接触導通する接触導通部１０と、を有し、接触導通部１０が、スルーホールに対する差し込み方向Ｙの所定区間に設けられた圧入端子であり、次の特徴を有している。
【００１６】
即ち、この圧入端子１では、接触導通部１０の主要部分が、一対の梁部２１と、梁部２１間に配置されたウェブ１８、２２、３８と、を有する断面蝶ネクタイ形のボウタイ部１０Ａとして形成されている。一対の梁部２１は、通常断面部１Ａの断面中心線Ｌに対して左右対称に配されると共に、第２の方向Ｘ２に離れた状態で、互いに並んで差し込み方向Ｙに延び、且つ、両端が１本になって通常断面部１Ａに合流している。また、ウェブ１８、２２、３８は、第１の方向Ｘ１の潰れにより断面中心線Ｌに近づくほど肉厚が薄くなる肉厚変化を持たされた状態で、一対の梁部２１間をつないでいる。
【００１７】
ここで、ボウタイ部１０Ａは、ウェブ１８、２２、３８を横スリット１６、３６で分断することにより、横スリット１６、３６を境界として、差し込み方向Ｙの前部側の第１領域１１と、中間部の第２領域１２と、後部側の第３領域１３とに区分されている。第１領域１１は、ボウタイ部１０Ａの一方の端部から第２領域１２に向けて梁部２１間の間隔が徐々に広がる断面形状の変化を有し、第２領域１２は、梁部２１間の間隔が最大に広がった断面形状を有し、第３領域１３は、第２領域１２側からボウタイ部１０Ａの他方の端部に向けて梁部２１間の間隔が徐々に狭まる断面形状の変化を有している。
【００１８】
そして、第２領域１２のウェブ２２は、梁部２１間において連続しており、第１、第３領域１１、１３のウェブ１８、３８は、梁部２１間の中間点に設けた縦スリット１７、３７により左右に分断され、その分断端が第１の方向Ｘ１にずれて配置されている。この場合、分断端の間に隙間があってもよいし、無くてもよい。即ち、縦スリット１７、３７は切れ目であって、分断端同士が離れていても、接触していてもよい。これについては、スルーホールへの圧入端子１の挿入後も同様なことが言える。尚、図１の（Ｅ）と（Ａ）に示されるようにウェブ１８、３８のズレ方向は同じであるが、逆でもよい。
【００１９】
圧入端子１では、このように、ボウタイ部１０Ａを、横スリット１６、３６を境界にして、差し込み方向Ｙに３つの領域１１、１２、１３に区分し、そのうちの中間の第２領域１２では、ウェブ２２を梁部２１間で連続させ、その両側の第１、第３領域１１、１３では、ウェブ１８、３８を縦スリット１７、３７で左右に分断して、その分断端を相互に位置をずらして配置しているので、連続したウェブ２２の割れによる変形抵抗の他に、最初から左右に分断されたウェブ１８、３８同士の摺動抵抗や変形抵抗などにより、図２に示すように、従来のニードルアイタイプの接触導通部を有する圧入端子と従来のボウタイタイプの接触導通部を有する圧入端子の中間的な特性を発揮することができる。
【００２０】
尚、図２は、本発明の圧入端子１と、従来のニードルアイタイプの接触導通部を有する圧入端子と、従来のボウタイタイプの接触導通部を有する圧入端子の、接触導通部の変位量（即ち、対向外面寸法の変位量）と接触荷重との関係を示す特性図である。図２における変位量とは、図２の左側の変形量α１と右側の変形量α２の合計である。
【００２１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２２】
例えば、連続したウェブ２２を有する第２領域１２の長さｂやその薄肉部の肉厚ａ、縦スリット１７、３７の長さなどの設定如何によって、挿入力の調整、接触荷重の調整、あるいは偏り変形の調整を行なうことができるので、接触荷重のバラツキを少なくして、接触荷重と保持力の安定化を図ることができる。
【００２３】
例えば、ボウタイ部１０Ａの差し込み方向Ｙの両端に位置する第１領域１１と第３領域１３の梁部２１が、左右のウェブ１８、３８同士を摺動させながら、あるいは、変形させながら撓むことになるので、端子の挿入力を低減することができる。また、縦スリット１７、３７の長さｂを調整することで、梁部２１の強さを調整できるので、偏り変形に対する調整が簡単にできる。また、中間の第２領域１２の連続ウェブ２２は、一定の応力が加わったときに割れるので、特に薄肉部の肉厚ａと第２領域１２自体の長さｂの調整により、挿入力の上げ下げ調整が簡単にできる。また、割れ長さを一定に管理できるので、変形抵抗のバラツキも少なくできる。
【図面の簡単な説明】
【００２４】
【図１】本発明に係る圧入端子の一実施形態の要部側面図と、当該要部側面図において複数の矢Ａ−Ａ〜Ｅ−Ｅによって指し示される複数の断面図（Ａ）〜（Ｅ）と、プリント基板のスルーホールに挿入後の断面の変化を示す断面図（Ｆ）および（Ｇ）と、を含む図である。
【図２】従来の２タイプの圧入端子と本発明の圧入端子の変位量と接触荷重との関係を示す特性図である。
【図３】従来のニードルアイタイプの圧入端子の要部構成図であって、（ａ）は側面図、（ｂ）は（ａ）のＩＩＩｂ−ＩＩＩｂ断面図、そして（ｃ）はスルーホールに圧入した状態の側断面図である。
【図４】従来のボウタイタイプの圧入端子の要部構成図であって、（ａ）は側面図、そして（ｂ）は（ａ）のＩＶｂ−ＩＶｂ断面図である。
【符号の説明】
【００２５】
１：圧入端子
１Ａ：通常断面部
１０：接触導通部
１０Ａ：ボウタイ部
１１：第１領域
１２：第２領域
１３：第３領域
２１：梁部
２２，３８：ウェブ
３６：横スリット
３７：縦スリット
１５０：プリント基板
１５１：スルーホール
Ｘ１：第１の方向
Ｘ２：第２の方向
Ｄ１，Ｄ２：対向外面間寸法
Ｌ：断面中心線
【図１】
2008123739.tif 000003
【図２】
2008123739.tif 000004
【図３】
2008123739.tif 000005
【図４】
2008123739.tif 000006